【手続補正書】
【提出日】令和3年2月22日(2021.2.22)
【手続補正１】
【補正対象書類名】明細書
【補正対象項目名】００３８
【補正方法】変更
【補正の内容】
【００３８】
すなわち、
端末がＴとＰとの間が第二約束関係を満たすと判定することと、
端末が、ターゲットアップリンク制御チャネルにおける第１タイプの時間領域シンボルを使用して他のアップリンク制御情報を伝送することを決定することと、を含んでもよい。
【手続補正２】
【補正対象書類名】明細書
【補正対象項目名】００４２
【補正方法】変更
【補正の内容】
【００４２】
Ｃ１案では、端末は、ターゲットアップリンク制御チャネルの所在する周波数領域リソース内の第２タイプの時間領域シンボルにおいてＳＲを伝送し、第１タイプの時間領域シンボルは、ターゲットアップリンク制御チャネルにおける全ての時間領域シンボルのうちの、第２タイプの時間領域シンボル以外の時間領域シンボルである。
【手続補正３】
【補正対象書類名】明細書
【補正対象項目名】００４３
【補正方法】変更
【補正の内容】
【００４３】
Ｄ１案では、端末はターゲットアップリンク制御チャネルの所在する周波数領域リソース内の第２タイプの時間領域シンボルにおいてＳＲを伝送し、第１タイプの時間領域シンボルは、ターゲットアップリンク制御チャネルにおける全ての時間領域シンボルのうちの、物理リソースと重なる時間領域シンボル以外の時間領域シンボルである。
【手続補正４】
【補正対象書類名】明細書
【補正対象項目名】００４５
【補正方法】変更
【補正の内容】
【００４５】
他のアップリンク制御情報の伝送方式は複数ある。選択肢として、他のアップリンク制御情報は、第１タイプの時間領域シンボルの数量に基づいて数量のマッチングをした後、第１タイプの時間領域シンボルにマッピングして伝送する。選択肢として、他のアップリンク制御情報は、パンチ方式を通して第１タイプの時間領域シンボルにマッピングして伝送する。
【手続補正５】
【補正対象書類名】明細書
【補正対象項目名】００４６
【補正方法】変更
【補正の内容】
【００４６】
選択肢として、ステップ３０３は更に、端末が、ターゲットアップリンク制御チャネルが長い物理アップリンク制御チャネルであり、且つ周期が事前約束の第１の閾値以下であり、且つアップリンクスケジューリング要求がプラスであることを判定し、この条件で、端末がターゲットアップリンク制御チャネルにおける第２タイプの時間領域シンボルを使用してアップリンクスケジューリング要求を伝送することを含んでもよい。アップリンクスケジューリング要求及び他のアップリンク制御情報を伝送する案は複数あり得る。例えば、上記で言及したＡ１案、Ｂ１案、Ｃ１案及びＤ１案がある。
【手続補正６】
【補正対象書類名】明細書
【補正対象項目名】００４７
【補正方法】変更
【補正の内容】
【００４７】
選択肢として、ステップ３０３は更に、端末が、ターゲットアップリンク制御チャネルが短い物理アップリンク制御チャネルであり、且つ周期が事前約束の第２の閾値以下であり、且つアップリンクスケジューリング要求がプラスであることを判定し、この条件で、端末がターゲットアップリンク制御チャネルにおける第２タイプの時間領域シンボルを使用してアップリンクスケジューリング要求を伝送することを含んでもよい。アップリンクスケジューリング要求及び他のアップリンク制御情報を伝送する案は複数あり得る。例えば、上記で言及したＡ１案、Ｂ１案、Ｃ１案及びＤ１案がある。
【手続補正７】
【補正対象書類名】明細書
【補正対象項目名】００４８
【補正方法】変更
【補正の内容】
【００４８】
選択肢として、ステップ３０３は更に、端末が、ターゲットアップリンク制御チャネルが任意の長さの物理アップリンク制御チャネルであり、且つ周期が事前約束の第３の閾値以下であり、且つアップリンクスケジューリング要求がプラスであることを判定し、この条件で、端末がターゲットアップリンク制御チャネルにおける第２タイプの時間領域シンボルを使用してアップリンクスケジューリング要求を伝送することを含んでもよい。１つの例では、任意の長さはワイルドカードで表示されてもよい。なお、アップリンクスケジューリング要求及び他のアップリンク制御情報を伝送する案は複数あり得る。例えば、上記で言及したＡ１案、Ｂ１案、Ｃ１案及びＤ１案がある。
【手続補正８】
【補正対象書類名】明細書
【補正対象項目名】００４９
【補正方法】変更
【補正の内容】
【００４９】
選択肢として、ステップ３０３は更に、端末が、ターゲットアップリンク制御チャネルがＡＣＫ／ＮＡＣＫ情報をキャリアし、且つターゲットアップリンク制御チャネルが任意の長さの物理アップリンク制御チャネルであり、且つ周期が事前約束の第４の閾値以下であり、且つアップリンクスケジューリング要求がプラスであることを判定し、この条件で、端末がターゲットアップリンク制御チャネルにおける第２タイプの時間領域シンボルを使用してアップリンクスケジューリング要求を伝送することを含んでもよい。１つの例では、任意の長さはワイルドカードで表示されてもよい。なお、アップリンクスケジューリング要求及び他のアップリンク制御情報を伝送する案は複数あり得る。例えば、上記で言及したＡ１案、Ｂ１案、Ｃ１案及びＤ１案がある。
【手続補正９】
【補正対象書類名】明細書
【補正対象項目名】００５０
【補正方法】変更
【補正の内容】
【００５０】
選択肢として、ステップ３０３は更に、端末が、周期が事前約束の第５の閾値以下であり、且つアップリンクスケジューリング要求がプラスであることを判定し、この条件で、端末がターゲットアップリンク制御チャネルにおける第２タイプの時間領域シンボルを使用してアップリンクスケジューリング要求を伝送することを含んでもよい。この条件は、ターゲットアップリンク制御チャネルの伝送時間長さが任意の値を取ってよいという情況に相当する。なお、アップリンクスケジューリング要求及び他のアップリンク制御情報を伝送する案は複数あり得る。例えば、上記で言及したＡ１案、Ｂ１案、Ｃ１案及びＤ１案がある。
【手続補正１０】
【補正対象書類名】明細書
【補正対象項目名】００５３
【補正方法】変更
【補正の内容】
【００５３】
ステップ４０１では、基地局がアップリンクスケジューリング要求を受信する周期Ｔ及び物理リソースを決定する。
【手続補正１１】
【補正対象書類名】明細書
【補正対象項目名】００５４
【補正方法】変更
【補正の内容】
【００５４】
ステップ４０２では、基地局がターゲットアップリンク制御チャネルを使用して他のアップリンク制御情報を受信することを決定する。
【手続補正１２】
【補正対象書類名】明細書
【補正対象項目名】００６２
【補正方法】変更
【補正の内容】
【００６２】
すなわち、
基地局がＴとＰとの間が第二約束関係を満たすと判定することと、  
基地局が、ターゲットアップリンク制御チャネルにおける第１タイプの時間領域シンボルを使用して他のアップリンク制御情報を受信することを決定することと、を含んでもよい。
【手続補正１３】
【補正対象書類名】明細書
【補正対象項目名】００６３
【補正方法】変更
【補正の内容】
【００６３】
上記の第二約束関係が満たされる場合、ＳＲ及び他のアップリンク制御情報を受信できる案は複数ある。例えば、下記のＡ２〜Ｄ２案がある。
【手続補正１４】
【補正対象書類名】明細書
【補正対象項目名】００６６
【補正方法】変更
【補正の内容】
【００６６】
Ｃ２案では、基地局は、ターゲットアップリンク制御チャネルの所在する周波数領域リソース内の第２タイプの時間領域シンボルにおいてＳＲを受信し、第１タイプの時間領域シンボルは、ターゲットアップリンク制御チャネルにおける全ての時間領域シンボルのうちの、第２タイプの時間領域シンボル以外の時間領域シンボルである。
【手続補正１５】
【補正対象書類名】明細書
【補正対象項目名】００６７
【補正方法】変更
【補正の内容】
【００６７】
Ｄ２案では、基地局は、ターゲットアップリンク制御チャネルの所在する周波数領域リソース内の第２タイプの時間領域シンボルにおいてＳＲを受信し、第１タイプの時間領域シンボルは、ターゲットアップリンク制御チャネルにおける全ての時間領域シンボルのうちの、物理リソースと重なる時間領域シンボル以外の時間領域シンボルである。
【手続補正１６】
【補正対象書類名】明細書
【補正対象項目名】００６９
【補正方法】変更
【補正の内容】
【００６９】
選択肢として、ステップ４０３は更に、基地局が、ターゲットアップリンク制御チャネルが長い物理アップリンク制御チャネルであり、且つ周期が事前約束の第１の閾値以下であり、且つアップリンクスケジューリング要求がプラスであることを判定し、この条件で、基地局がターゲットアップリンク制御チャネルにおける第２タイプの時間領域シンボルを使用してアップリンクスケジューリング要求を受信することを含んでもよい。アップリンクスケジューリング要求及び他のアップリンク制御情報を受信する案は複数あり得る。例えば、上記で言及したＡ２案、Ｂ２案、Ｃ２案及びＤ２案がある。
【手続補正１７】
【補正対象書類名】明細書
【補正対象項目名】００７０
【補正方法】変更
【補正の内容】
【００７０】
選択肢として、ステップ４０３は更に、基地局が、ターゲットアップリンク制御チャネルが短い物理アップリンク制御チャネルであり、且つ周期が事前約束の第２の閾値以下であり、且つアップリンクスケジューリング要求がプラスであることを判定し、この条件で、基地局がターゲットアップリンク制御チャネルにおける第２タイプの時間領域シンボルを使用してアップリンクスケジューリング要求を受信することを含んでもよい。アップリンクスケジューリング要求及び他のアップリンク制御情報を受信する案は複数あり得る。例えば、上記で言及したＡ２案、Ｂ２案、Ｃ２案及びＤ２案がある。
【手続補正１８】
【補正対象書類名】明細書
【補正対象項目名】００７１
【補正方法】変更
【補正の内容】
【００７１】
選択肢として、ステップ４０３は更に、基地局が、ターゲットアップリンク制御チャネルが任意の長さの物理アップリンク制御チャネルであり、且つ周期が事前約束の第３の閾値以下であり、且つアップリンクスケジューリング要求がプラスであることを判定し、この条件で、基地局がターゲットアップリンク制御チャネルにおける第２タイプの時間領域シンボルを使用してアップリンクスケジューリング要求を受信することを含んでもよい。１つの例では、任意の長さはワイルドカードで表示されてもよい。なお、アップリンクスケジューリング要求及び他のアップリンク制御情報を受信する案は複数あり得る。例えば、上記で言及したＡ２案、Ｂ２案、Ｃ２案及びＤ２案がある。
【手続補正１９】
【補正対象書類名】明細書
【補正対象項目名】００７２
【補正方法】変更
【補正の内容】
【００７２】
選択肢として、ステップ４０３は更に、基地局が、ターゲットアップリンク制御チャネルがＡＣＫ／ＮＡＣＫ情報をキャリアし、且つターゲットアップリンク制御チャネルが任意の長さの物理アップリンク制御チャネルであり、且つ周期が事前約束の第４の閾値以下であり、且つアップリンクスケジューリング要求がプラスであることを判定し、この条件で、基地局がターゲットアップリンク制御チャネルにおける第２タイプの時間領域シンボルを使用してアップリンクスケジューリング要求を受信することを含んでもよい。１つの例では、任意の長さはワイルドカードで表示されてもよい。なお、アップリンクスケジューリング要求及び他のアップリンク制御情報を受信する案は複数あり得る。例えば、上記で言及したＡ２案、Ｂ２案、Ｃ２案及びＤ２案がある。
【手続補正２０】
【補正対象書類名】明細書
【補正対象項目名】００７３
【補正方法】変更
【補正の内容】
【００７３】
選択肢として、ステップ４０３は更に、基地局が、周期が事前約束の第５の閾値以下であり、且つアップリンクスケジューリング要求がプラスであることを判定し、この条件で、基地局がターゲットアップリンク制御チャネルにおける第２タイプの時間領域シンボルを使用してアップリンクスケジューリング要求を受信することを含んでもよい。この条件は、ターゲットアップリンク制御チャネルの伝送時間長さが任意の値を取ってよいという情況に相当する。なお、アップリンクスケジューリング要求及び他のアップリンク制御情報を受信する案は複数あり得る。例えば、上記で言及したＡ２案、Ｂ２案、Ｃ２案及びＤ２案がある。
【手続補正２１】
【補正対象書類名】明細書
【補正対象項目名】００７５
【補正方法】変更
【補正の内容】
【００７５】
本発明の第３実施形態は端末に係る。該端末は、
アップリンクスケジューリング要求を送信する周期及び物理リソースを決定することに用いられる第１モジュールと、
ターゲットアップリンク制御チャネルを使用して他のアップリンク制御情報を伝送することを決定することに用いられる第２モジュールと、
周期とターゲットアップリンク制御チャネルの伝送時間長さとの関係に基づいて、アップリンクスケジューリング要求と他のアップリンク制御情報との多重伝送の方式を決定することに用いられる第３モジュールと、を含む。
【手続補正２２】
【補正対象書類名】明細書
【補正対象項目名】００７８
【補正方法】変更
【補正の内容】
【００７８】
選択肢として、第３モジュールは、
周期とターゲットアップリンク制御チャネルの伝送時間長さとの間が第二約束関係を満たすと判定することに用いられる第３サブモジュールと、
ターゲットアップリンク制御チャネルにおける第１タイプの時間領域シンボルを使用して他のアップリンク制御情報を伝送することを決定することに用いられる第４サブモジュールと、を含む。
【手続補正２３】
【補正対象書類名】明細書
【補正対象項目名】００８０
【補正方法】変更
【補正の内容】
【００８０】
選択肢として、第３モジュールは、ターゲットアップリンク制御チャネルが長い物理アップリンク制御チャネルであり、且つ周期が事前約束の第１の閾値以下であり、且つアップリンクスケジューリング要求がプラスであるとき、ターゲットアップリンク制御チャネルにおける第２タイプの時間領域シンボルを使用してアップリンクスケジューリング要求を伝送することを決定することに用いられる第９サブモジュールを含む。
【手続補正２４】
【補正対象書類名】明細書
【補正対象項目名】００８１
【補正方法】変更
【補正の内容】
【００８１】
選択肢として、第３モジュールは、ターゲットアップリンク制御チャネルが短い物理アップリンク制御チャネルであり、且つ周期が事前約束の第２の閾値以下であり、且つアップリンクスケジューリング要求がプラスであるとき、ターゲットアップリンク制御チャネルにおける第２タイプの時間領域シンボルを使用してアップリンクスケジューリング要求を伝送することを決定することに用いられる第１０サブモジュールを含む。
【手続補正２５】
【補正対象書類名】明細書
【補正対象項目名】００８２
【補正方法】変更
【補正の内容】
【００８２】
選択肢として、第３モジュールは、ターゲットアップリンク制御チャネルが任意の長さの物理アップリンク制御チャネルであり、且つ周期が事前約束の第３の閾値以下であり、且つアップリンクスケジューリング要求がプラスであるとき、ターゲットアップリンク制御チャネルにおける第２タイプの時間領域シンボルを使用してアップリンクスケジューリング要求を伝送することを決定することに用いられる第１１サブモジュールを含み、１つの例においては、任意の長さはワイルドカードで表示されてもよい。
【手続補正２６】
【補正対象書類名】明細書
【補正対象項目名】００８３
【補正方法】変更
【補正の内容】
【００８３】
選択肢として、第３モジュールは、ターゲットアップリンク制御チャネルがＡＣＫ／ＮＡＣＫ情報をキャリアし、且つターゲットアップリンク制御チャネルが任意の長さの物理アップリンク制御チャネルであり、且つ周期が事前約束の第４の閾値以下であり、且つアップリンクスケジューリング要求がプラスであるとき、ターゲットアップリンク制御チャネルにおける第２タイプの時間領域シンボルを使用してアップリンクスケジューリング要求を伝送することを決定することに用いられる第１２サブモジュールを含み、１つの例においては、任意の長さはワイルドカードで表示されてもよい。
【手続補正２７】
【補正対象書類名】明細書
【補正対象項目名】００８４
【補正方法】変更
【補正の内容】
【００８４】
選択肢として、第３モジュールは、周期が事前約束の第５の閾値以下であり、且つアップリンクスケジューリング要求がプラスである（ターゲットアップリンク制御チャネルの伝送時間長さが任意の値を取ってよいという情況に相当する）とき、ターゲットアップリンク制御チャネルにおける第２タイプの時間領域シンボルを使用してアップリンクスケジューリング要求を伝送することを決定することに用いられる第１３サブモジュールを含む。
【手続補正２８】
【補正対象書類名】明細書
【補正対象項目名】００８９
【補正方法】変更
【補正の内容】
【００８９】
選択肢として、端末は、ターゲットアップリンク制御チャネルの所在する周波数領域リソース内の第２タイプの時間領域シンボルにおいてアップリンクスケジューリング要求を伝送し、第２タイプの時間領域シンボルは物理リソースの占有する時間領域シンボルと同じである。
【手続補正２９】
【補正対象書類名】明細書
【補正対象項目名】００９１
【補正方法】変更
【補正の内容】
【００９１】
本発明の第４実施形態は基地局に係る。該基地局は、
アップリンクスケジューリング要求を受信する周期及び物理リソースを決定することに用いられる第４モジュールと、
ターゲットアップリンク制御チャネルを使用して他のアップリンク制御情報を受信することを決定することに用いられる第５モジュールと、
周期とターゲットアップリンク制御チャネルの伝送時間長さとの関係に基づいて、アップリンクスケジューリング要求と他のアップリンク制御情報との多重伝送の方式を決定することに用いられる第６モジュールと、を含む。
【手続補正３０】
【補正対象書類名】明細書
【補正対象項目名】００９４
【補正方法】変更
【補正の内容】
【００９４】
第６モジュールは、
周期とターゲットアップリンク制御チャネルの伝送時間長さとの間が第二約束関係を満たすと判定することに用いられる第７サブモジュールと、
ターゲットアップリンク制御チャネルにおける第１タイプの時間領域シンボルを使用して他のアップリンク制御情報を受信することを決定することに用いられる第８サブモジュールと、を含む。
【手続補正３１】
【補正対象書類名】明細書
【補正対象項目名】００９６
【補正方法】変更
【補正の内容】
【００９６】
選択肢として、第６モジュールは、ターゲットアップリンク制御チャネルが長い物理アップリンク制御チャネルであり、且つ周期が事前約束の第１の閾値以下であり、且つアップリンクスケジューリング要求がプラスであるとき、ターゲットアップリンク制御チャネルにおける第２タイプの時間領域シンボルを使用してアップリンクスケジューリング要求を受信することを決定することに用いられる第１４サブモジュールを含む。
【手続補正３２】
【補正対象書類名】明細書
【補正対象項目名】００９７
【補正方法】変更
【補正の内容】
【００９７】
選択肢として、第６モジュールは、ターゲットアップリンク制御チャネルが短い物理アップリンク制御チャネルであり、且つ周期が事前約束の第２の閾値以下であり、且つアップリンクスケジューリング要求がプラスであるとき、ターゲットアップリンク制御チャネルにおける第２タイプの時間領域シンボルを使用してアップリンクスケジューリング要求を受信することを決定することに用いられる第１５サブモジュールを含む。
【手続補正３３】
【補正対象書類名】明細書
【補正対象項目名】００９８
【補正方法】変更
【補正の内容】
【００９８】
選択肢として、第６モジュールは、ターゲットアップリンク制御チャネルが任意の長さの物理アップリンク制御チャネルであり、且つ周期が事前約束の第３の閾値以下であり、且つアップリンクスケジューリング要求がプラスであるとき、ターゲットアップリンク制御チャネルにおける第２タイプの時間領域シンボルを使用してアップリンクスケジューリング要求を受信することを決定することに用いられる第１６サブモジュールを含む。
【手続補正３４】
【補正対象書類名】明細書
【補正対象項目名】００９９
【補正方法】変更
【補正の内容】
【００９９】
選択肢として、第６モジュールは、ターゲットアップリンク制御チャネルがＡＣＫ／ＮＡＣＫ情報をキャリアし、且つターゲットアップリンク制御チャネルが任意の長さの物理アップリンク制御チャネルであり、且つ周期が事前約束の第４の閾値以下であり、且つアップリンクスケジューリング要求がプラスであるとき、ターゲットアップリンク制御チャネルにおける第２タイプの時間領域シンボルを使用してアップリンクスケジューリング要求を受信することを決定することに用いられる第１７サブモジュールを含む。
【手続補正３５】
【補正対象書類名】明細書
【補正対象項目名】０１００
【補正方法】変更
【補正の内容】
【０１００】
選択肢として、第６モジュールは、周期が事前約束の第５の閾値以下であり、且つアップリンクスケジューリング要求がプラスである（ターゲットアップリンク制御チャネルの伝送時間長さが任意の値を取ってよいという情況に相当する）とき、ターゲットアップリンク制御チャネルにおける第２タイプの時間領域シンボルを使用してアップリンクスケジューリング要求を受信することを決定することに用いられる第１８サブモジュールを含む。
【手続補正３６】
【補正対象書類名】明細書
【補正対象項目名】０１０５
【補正方法】変更
【補正の内容】
【０１０５】
選択肢として、基地局は、ターゲットアップリンク制御チャネルの所在する周波数領域リソース内の第２タイプの時間領域シンボルにおいてアップリンクスケジューリング要求を受信し、第２タイプの時間領域シンボルは物理リソースの占有する時間領域シンボルと同じである。
【手続補正３７】
【補正対象書類名】明細書
【補正対象項目名】０１０８
【補正方法】変更
【補正の内容】
【０１０８】
アップリンクスケジューリング要求及び他のアップリンク制御情報の伝送方式は複数ある（ターゲットアップリンク制御チャネルにおいて他のアップリンク制御情報を伝送する時間領域シンボルを第１タイプの時間領域シンボルと呼び、ターゲットアップリンク制御チャネルにおいてアップリンクスケジューリング要求を伝送する時間領域シンボルを第２タイプの時間領域シンボルと呼ぶ）。
【手続補正３８】
【補正対象書類名】明細書
【補正対象項目名】０１１１
【補正方法】変更
【補正の内容】
【０１１１】
選択肢として、第２タイプの時間領域シンボルは物理リソースの占有する時間領域シンボルと同じである。
【手続補正３９】
【補正対象書類名】明細書
【補正対象項目名】０１１４
【補正方法】変更
【補正の内容】
【０１１４】
アップリンクスケジューリング要求及び他のアップリンク制御情報の受信方式は複数ある（ターゲットアップリンク制御チャネルにおいて他のアップリンク制御情報を受信する時間領域シンボルを第１タイプの時間領域シンボルと呼び、ターゲットアップリンク制御チャネルにおいてアップリンクスケジューリング要求を受信する時間領域シンボルを第２タイプの時間領域シンボルと呼ぶ）。
【手続補正４０】
【補正対象書類名】明細書
【補正対象項目名】０１１７
【補正方法】変更
【補正の内容】
【０１１７】
選択肢として、第２タイプの時間領域シンボルは物理リソースの占有する時間領域シンボルと同じである。
【手続補正４１】
【補正対象書類名】明細書
【補正対象項目名】０１２０
【補正方法】変更
【補正の内容】
【０１２０】
アップリンクスケジューリング要求及び他のアップリンク制御情報の伝送方式は複数ある（ターゲットアップリンク制御チャネルにおいて他のアップリンク制御情報を伝送する時間領域シンボルを第１タイプの時間領域シンボルと呼び、ターゲットアップリンク制御チャネルにおいてアップリンクスケジューリング要求を伝送する時間領域シンボルを第２タイプの時間領域シンボルと呼ぶ）。
【手続補正４２】
【補正対象書類名】明細書
【補正対象項目名】０１２３
【補正方法】変更
【補正の内容】
【０１２３】
選択肢として、第２タイプの時間領域シンボルは物理リソースの占有する時間領域シンボルと同じである。
【手続補正４３】
【補正対象書類名】明細書
【補正対象項目名】０１２６
【補正方法】変更
【補正の内容】
【０１２６】
アップリンクスケジューリング要求及び他のアップリンク制御情報の受信方式は複数ある（ターゲットアップリンク制御チャネルにおいて他のアップリンク制御情報を受信する時間領域シンボルを第１タイプの時間領域シンボルと呼び、ターゲットアップリンク制御チャネルにおいてアップリンクスケジューリング要求を受信する時間領域シンボルを第２タイプの時間領域シンボルと呼ぶ）。
【手続補正４４】
【補正対象書類名】明細書
【補正対象項目名】０１２９
【補正方法】変更
【補正の内容】
【０１２９】
選択肢として、第２タイプの時間領域シンボルは物理リソースの占有する時間領域シンボルと同じである。
【手続補正４５】
【補正対象書類名】明細書
【補正対象項目名】０１４０
【補正方法】変更
【補正の内容】
【０１４０】
基地局側の動作：基地局はＳＲに対応する時間領域シンボルにおいて前記ターゲットアップリンク制御チャネルを受信しない。
【手続補正４６】
【補正対象書類名】明細書
【補正対象項目名】０１４４
【補正方法】変更
【補正の内容】
【０１４４】
基地局側の動作：基地局はＳＲに対応する時間領域シンボルにおいて前記ターゲットアップリンク制御チャネルを受信しない。
【手続補正４７】
【補正対象書類名】明細書
【補正対象項目名】０１４７
【補正方法】変更
【補正の内容】
【０１４７】
ｏｎ−ｏｆｆ方式では、ＳＲがプラスであるとき、端末は約束のシーケンスを使用して伝送を行い、ＳＲがマイナスであるときは、端末は何の情報も伝送しない。対応する基地局側の動作：基地局はまずＳＲに対応するリソースにおいてＳＲがあるかどうかを検出し、ＳＲがある場合は、対応する時間領域シンボルは前記ターゲットアップリンク制御チャネルを受信せず、ＳＲが無い場合は、対応する時間領域シンボルにおいて前記ターゲットアップリンク制御チャネルを受信する。
【手続補正４８】
【補正対象書類名】明細書
【補正対象項目名】０１４８
【補正方法】変更
【補正の内容】
【０１４８】
シーケンス選択方式（方法Ｄのみに適する）では、ＳＲがプラスであるとき、端末は第一約束シーケンスを伝送し、ＳＲがマイナスであるときは、端末は第二約束シーケンスを伝送する。対応する基地局側の動作：基地局はＳＲに対応する時間領域シンボルにおいて前記ターゲットアップリンク制御チャネルを受信しない。
【手続補正４９】
【補正対象書類名】特許請求の範囲
【補正対象項目名】全文
【補正方法】変更
【補正の内容】
【特許請求の範囲】
【請求項１】
アップリンク制御チャネル伝送方法であって、
端末がアップリンクスケジューリング要求を送信する周期及び物理リソースを決定することと、
前記端末がターゲットアップリンク制御チャネルを使用して他のアップリンク制御情報を伝送することを決定することと、
前記端末が前記周期と前記ターゲットアップリンク制御チャネルの伝送時間長さとの関係に基づいて、前記アップリンクスケジューリング要求と前記他のアップリンク制御情報との多重伝送の方式を決定することと、を含むことを特徴とするアップリンク制御チャネル伝送方法。
【請求項２】
前記端末が前記周期と前記ターゲットアップリンク制御チャネルの伝送時間長さとの関係に基づいて、前記アップリンクスケジューリング要求と前記他のアップリンク制御情報との多重伝送の方式を決定することは、
前記端末が、前記周期と前記ターゲットアップリンク制御チャネルの伝送時間長さとの間が第一約束関係を満たすと判定することと、
前記端末が、前記アップリンクスケジューリング要求と前記他のアップリンク制御情報を前記ターゲットアップリンク制御チャネルを通して多重伝送することを決定することと、を含み、
前記第一約束関係は、
前記ターゲットアップリンク制御チャネルの伝送時間長さが、Ｋとアップリンクスケジューリング要求の周期との積以下であり、Ｋ＞０であること、及び／又は、
前記ターゲットアップリンク制御チャネルの周波数領域リソースのサイズが、前記物理リソースに対応する周波数領域リソースのサイズより小さいことを含むことを特徴とする請求項１に記載のアップリンク制御チャネル伝送方法。
【請求項３】
前記端末が前記周期と前記ターゲットアップリンク制御チャネルの伝送時間長さとの関係に基づいて、前記アップリンクスケジューリング要求と前記他のアップリンク制御情報との多重伝送の方式を決定することは、
前記端末が、前記周期と前記ターゲットアップリンク制御チャネルの伝送時間長さとの間が第二約束関係を満たすと判定することと、
前記端末が、前記ターゲットアップリンク制御チャネルにおける第１タイプの時間領域シンボルを使用して前記他のアップリンク制御情報を伝送することを決定することと、を含み、
前記第二約束関係は、
前記ターゲットアップリンク制御チャネルの伝送時間長さが、Ｓとアップリンクスケジューリング要求の周期との積より大きく、Ｓ＞０であること、及び／又は、
前記ターゲットアップリンク制御チャネルの周波数領域リソースのサイズが、前記物理リソースに対応する周波数領域リソースのサイズ以上であることを含むことを特徴とする請求項１又は２に記載のアップリンク制御チャネル伝送方法。
【請求項４】
前記端末が前記周期と前記ターゲットアップリンク制御チャネルの伝送時間長さとの関係に基づいて、前記アップリンクスケジューリング要求と前記他のアップリンク制御情報との多重伝送の方式を決定することは、
前記端末が、前記ターゲットアップリンク制御チャネルが長い物理アップリンク制御チャネルであり、且つ前記周期が事前約束の第１の閾値以下であることを判定することと、
前記端末が前記ターゲットアップリンク制御チャネルにおける第２タイプの時間領域シンボルを使用して前記アップリンクスケジューリング要求を伝送することを決定することと、を含み、
或いは、
前記端末が、前記ターゲットアップリンク制御チャネルが短い物理アップリンク制御チャネルであり、且つ前記周期が事前約束の第２の閾値以下であることを判定することと、
前記端末が前記ターゲットアップリンク制御チャネルにおける第２タイプの時間領域シンボルを使用して前記アップリンクスケジューリング要求を伝送することを決定することと、を含み、
或いは、
前記端末が、前記ターゲットアップリンク制御チャネルが任意の長さの物理アップリンク制御チャネルであり、且つ前記周期が事前約束の第３の閾値以下であることを判定することと、
前記端末が前記ターゲットアップリンク制御チャネルにおける第２タイプの時間領域シンボルを使用して前記アップリンクスケジューリング要求を伝送することを決定することと、を含み、
或いは、
前記端末が、前記ターゲットアップリンク制御チャネルがフィードバック応答情報をキャリアし、且つ前記ターゲットアップリンク制御チャネルが任意の長さの物理アップリンク制御チャネルであり、且つ前記周期が事前約束の第４の閾値以下であることを判定することと、
前記端末が前記ターゲットアップリンク制御チャネルにおける第２タイプの時間領域シンボルを使用して前記アップリンクスケジューリング要求を伝送することを決定することと、を含み、
或いは、
前記端末が、前記周期が事前約束の第５の閾値以下であることを判定することと、
前記端末が前記ターゲットアップリンク制御チャネルにおける第２タイプの時間領域シンボルを使用して前記アップリンクスケジューリング要求を伝送することを決定することと、を含むことを特徴とする請求項１に記載のアップリンク制御チャネル伝送方法。
【請求項５】
前記端末は前記物理リソースにおいてアップリンクスケジューリング要求を伝送し、
前記第１タイプの時間領域シンボルは、前記ターゲットアップリンク制御チャネルにおける全ての時間領域シンボルのうちの、実際にアップリンクスケジューリング要求を伝送することに用いられる時間領域シンボル以外の時間領域シンボルであることを特徴とする請求項３に記載のアップリンク制御チャネル伝送方法。
【請求項６】
前記端末は前記物理リソースにおいてアップリンクスケジューリング要求を伝送し、
前記第１タイプの時間領域シンボルは、前記ターゲットアップリンク制御チャネルにおける全ての時間領域シンボルのうちの、前記物理リソースと重なる時間領域シンボル以外の時間領域シンボルであることを特徴とする請求項３に記載のアップリンク制御チャネル伝送方法。
【請求項７】
前記端末は、前記ターゲットアップリンク制御チャネルの所在する周波数領域リソース内の第２タイプの時間領域シンボルにおいて前記アップリンクスケジューリング要求を伝送し、前記第２タイプの時間領域シンボルは前記物理リソースの占有する時間領域シンボルと同じであることを特徴とする請求項３に記載のアップリンク制御チャネル伝送方法。
【請求項８】
前記第１タイプの時間領域シンボルは、前記ターゲットアップリンク制御チャネルにおける全ての時間領域シンボルのうちの、前記第２タイプの時間領域シンボル以外の時間領域シンボルであり、
或いは、
前記第１タイプの時間領域シンボルは、前記ターゲットアップリンク制御チャネルにおける全ての時間領域シンボルのうちの、前記物理リソースと重なる時間領域シンボル以外の時間領域シンボルであることを特徴とする請求項７に記載のアップリンク制御チャネル伝送方法。
【請求項９】
アップリンク制御チャネル伝送方法であって、
基地局がアップリンクスケジューリング要求を受信する周期及び物理リソースを決定することと、
前記基地局がターゲットアップリンク制御チャネルを使用して他のアップリンク制御情報を受信することを決定することと、
前記基地局が前記周期と前記ターゲットアップリンク制御チャネルの伝送時間長さとの関係に基づいて、前記アップリンクスケジューリング要求と前記他のアップリンク制御情報との多重伝送の方式を決定することと、を含むことを特徴とするアップリンク制御チャネル伝送方法。
【請求項１０】
端末であって、
アップリンクスケジューリング要求を送信する周期及び物理リソースを決定することに用いられる第１モジュールと、
ターゲットアップリンク制御チャネルを使用して他のアップリンク制御情報を伝送することを決定することに用いられる第２モジュールと、
前記周期と前記ターゲットアップリンク制御チャネルの伝送時間長さとの関係に基づいて、前記アップリンクスケジューリング要求と前記他のアップリンク制御情報との多重伝送の方式を決定することに用いられる第３モジュールと、を含むことを特徴とする端末。
【請求項１１】
前記第３モジュールは、
前記周期と前記ターゲットアップリンク制御チャネルの伝送時間長さとの間が第一約束関係を満たすと判定することに用いられる第１サブモジュールと、
前記アップリンクスケジューリング要求と前記他のアップリンク制御情報を前記ターゲットアップリンク制御チャネルを通して多重伝送することを決定することに用いられる第２サブモジュールと、を含み、
前記第一約束関係は、
前記ターゲットアップリンク制御チャネルの伝送時間長さが、Ｋとアップリンクスケジューリング要求の周期との積以下であり、Ｋ＞０であること、及び／又は、
前記ターゲットアップリンク制御チャネルの周波数領域リソースのサイズが、前記物理リソースに対応する周波数領域リソースのサイズより小さいことを含むことを特徴とする請求項１０に記載の端末。
【請求項１２】
前記第３モジュールは、
前記周期と前記ターゲットアップリンク制御チャネルの伝送時間長さとの間が第二約束関係を満たすと判定することに用いられる第３サブモジュールと、
前記ターゲットアップリンク制御チャネルにおける第１タイプの時間領域シンボルを使用して前記他のアップリンク制御情報を伝送することを決定することに用いられる第４サブモジュールと、を含み、
前記第二約束関係は、
前記ターゲットアップリンク制御チャネルの伝送時間長さが、Ｓとアップリンクスケジューリング要求の周期との積より大きく、Ｓ＞０であること、及び／又は、
前記ターゲットアップリンク制御チャネルの周波数領域リソースのサイズが、前記物理リソースに対応する周波数領域リソースのサイズ以上であることを含むことを特徴とする請求項１０に記載の端末。
【請求項１３】
前記第３モジュールは、
前記ターゲットアップリンク制御チャネルが長い物理アップリンク制御チャネルであり、且つ前記周期が事前約束の第１の閾値以下であるとき、前記ターゲットアップリンク制御チャネルにおける第２タイプの時間領域シンボルを使用して前記アップリンクスケジューリング要求を伝送することを決定することに用いられる第９サブモジュールと、
前記ターゲットアップリンク制御チャネルが短い物理アップリンク制御チャネルであり、且つ前記周期が事前約束の第２の閾値以下であるとき、前記ターゲットアップリンク制御チャネルにおける第２タイプの時間領域シンボルを使用して前記アップリンクスケジューリング要求を伝送することを決定することに用いられる第１０サブモジュールと、
前記ターゲットアップリンク制御チャネルが任意の長さの物理アップリンク制御チャネルであり、且つ前記周期が事前約束の第３の閾値以下であるとき、前記ターゲットアップリンク制御チャネルにおける第２タイプの時間領域シンボルを使用して前記アップリンクスケジューリング要求を伝送することを決定することに用いられる第１１サブモジュールと、
前記ターゲットアップリンク制御チャネルがフィードバック応答情報をキャリアし、且つ前記ターゲットアップリンク制御チャネルが任意の長さの物理アップリンク制御チャネルであり、且つ前記周期が事前約束の第４の閾値以下であるとき、前記ターゲットアップリンク制御チャネルにおける第２タイプの時間領域シンボルを使用して前記アップリンクスケジューリング要求を伝送することを決定することに用いられる第１２サブモジュールと、
前記周期が事前約束の第５の閾値以下であるとき、前記ターゲットアップリンク制御チャネルにおける第２タイプの時間領域シンボルを使用して前記アップリンクスケジューリング要求を伝送することを決定することに用いられる第１３サブモジュールのうちのいずれか１つを含むことを特徴とする請求項１０に記載の端末。
【請求項１４】
前記端末は前記物理リソースにおいてアップリンクスケジューリング要求を伝送し、前記第１タイプの時間領域シンボルは、前記ターゲットアップリンク制御チャネルにおける全ての時間領域シンボルのうちの、実際にアップリンクスケジューリング要求を伝送することに用いられる時間領域シンボル以外の時間領域シンボルであり、または、
前記端末は前記物理リソースにおいてアップリンクスケジューリング要求を伝送し、前記第１タイプの時間領域シンボルは、前記ターゲットアップリンク制御チャネルにおける全ての時間領域シンボルのうちの、前記物理リソースと重なる時間領域シンボル以外の時間領域シンボルであり、または、
前記端末は、前記ターゲットアップリンク制御チャネルの所在する周波数領域リソース内の第２タイプの時間領域シンボルにおいて前記アップリンクスケジューリング要求を伝送し、前記第２タイプの時間領域シンボルは前記物理リソースの占有する時間領域シンボルと同じであることを特徴とする請求項１２または１３に記載の端末。
【請求項１５】
基地局であって、
アップリンクスケジューリング要求を受信する周期及び物理リソースを決定することに用いられる第４モジュールと、
ターゲットアップリンク制御チャネルを使用して他のアップリンク制御情報を受信することを決定することに用いられる第５モジュールと、
前記周期と前記ターゲットアップリンク制御チャネルの伝送時間長さとの関係に基づいて、前記アップリンクスケジューリング要求と前記他のアップリンク制御情報との多重伝送の方式を決定することに用いられる第６モジュールと、を含むことを特徴とする基地局。
【手続補正５０】
【補正対象書類名】図面
【補正対象項目名】図４
【補正方法】変更
【補正の内容】
【図４】
2021501485.tif 000001
【手続補正５１】
【補正対象書類名】図面
【補正対象項目名】図５
【補正方法】変更
【補正の内容】
【図５】
2021501485.tif 000002
【手続補正５２】
【補正対象書類名】図面
【補正対象項目名】図６
【補正方法】変更
【補正の内容】
【図６】
2021501485.tif 000003
【手続補正５３】
【補正対象書類名】図面
【補正対象項目名】図７
【補正方法】変更
【補正の内容】
【図７】
2021501485.tif 000004
【手続補正５４】
【補正対象書類名】図面
【補正対象項目名】図８
【補正方法】変更
【補正の内容】
【図８】
2021501485.tif 000005
【手続補正５５】
【補正対象書類名】図面
【補正対象項目名】図９
【補正方法】変更
【補正の内容】
【図９】
2021501485.tif 000006